(57)【要約】【課題】無線通信による情報詐取対策に優れたＩＣカードを提供すること。【解決手段】実施形態のＩＣカードは、アンテナと、制御部とを備える。前記アンテナは、一部分が離間されている。前記制御部は、前記アンテナに接続され、前記アンテナの一部分が電気的に接続された場合に前記アンテナを介して外部と通信可能となり、前記アンテナの一部分が電気的に接続されない場合に外部と通信不能となる。【選択図】図１
2017068326.tif 000002
【特許請求の範囲】
【請求項１】
一部分が離間されたアンテナと、
前記アンテナに接続された制御部と、
を備え、
前記制御部は、前記アンテナの一部分が電気的に接続された場合に前記アンテナを介して外部と通信可能となり、前記アンテナの一部分が電気的に接続されない場合に外部と通信不能となるＩＣカード。
【請求項２】
前記アンテナは、第１及び第２のアンテナにより構成され、
前記制御部と前記第１のアンテナの一端が接続され、前記制御部と前記第２のアンテナの一端が接続され、前記第１のアンテナの他端と前記第２のアンテナの他端とが離間された請求項１のＩＣカード。
【請求項３】
前記アンテナの一部分を電気的に接続又は切断するスイッチを備える請求項１のＩＣカード。
【請求項４】
前記アンテナ及び前記制御部が埋設されたカード本体であって、折りたたみ可能に構成されたカード本体を備え、
前記カード本体は、折りたたまれた状態で前記アンテナの一部分を電気的に切断し、広げられた状態で前記アンテナの一部分を電気的に接続する請求項１のＩＣカード。
【発明の詳細な説明】
【技術分野】
【０００１】
本発明の実施形態は、ＩＣカードに関する。
【背景技術】
【０００２】
近年、ＩＣ（Integrated Circuit）チップを搭載したＩＣカードが普及している。例えば、電波を送受信するためのアンテナ等により構成される非接触インタフェースを備えたＩＣカードが知られている。ＩＣカードの用途は広がり、ＩＣカードは、クレジットカード、定期券、旅券、免許証、その他の商取引の決済に使われるだけでなく、社員証、会員証、保険証などのＩＤカードとしても様々な分野で使われるようになっている。
【０００３】
ＩＣカードの用途の広がりとともに、高いセキュリティが求められている。ところが、上記のような非接触通信可能なＩＣカードは利便性に優れるが、非接触通信を逆手に取り、ＩＣカードの情報が盗み取られるおそれがある。例えば、悪意のある者が非接触通信可能なＩＣカードの保持者に近づき、無線カードリーダを使って非接触ＩＣカードから情報を盗み取ることが考えられる。
【先行技術文献】
【特許文献】
【０００４】
【特許文献１】特開２０１３−１３１０９２号公報
【発明の概要】
【発明が解決しようとする課題】
【０００５】
非接触ＩＣカードは、そのカード保持者の意志に関係無く、一定距離に近づいた無線カードリーダと通信してしまう。この通信により非接触ＩＣカードの情報が盗み取られてしまうおそれがある。このような情報詐取を防止する策が望まれている。
【０００６】
本発明の目的は、無線通信による情報詐取対策に優れたＩＣカードを提供することである。
【課題を解決するための手段】
【０００７】
実施形態のＩＣカードは、アンテナと、制御部とを備える。前記アンテナは、一部分が離間されている。前記制御部は、前記アンテナに接続され、前記アンテナの一部分が電気的に接続された場合に前記アンテナを介して外部と通信可能となり、前記アンテナの一部分が電気的に接続されない場合に外部と通信不能となる。
【図面の簡単な説明】
【０００８】
【図１】第１の実施形態に係るＩＣカードの一例を示す図である。
【図２】第２の実施形態に係るＩＣカードの一例を示す図である。
【図３】第３の実施形態に係るＩＣカードの一例を示す図であり、通信可能な状態のＩＣカードを示す図である。
【図４】第３の実施形態に係るＩＣカードの一例を示す図であり、通信不能な状態な折りたたまれたＩＣカードを示す図である。
【図５】第１、２、第３の実施形態に共通のＩＣカードの概略構成を示すブロック部である。
【発明を実施するための形態】
【０００９】
図１は、第１の実施形態に係るＩＣカードの一例を示す図である。
【００１０】
図１に示すように、ＩＣカード１は、例えばプラスティックカード（基材）１０により構成され、ＩＣモジュール１１（ＩＣチップ）を備える。さらにＩＣモジュール１１（図５に示す通信部１０１）には、コイル状のアンテナ部１２が接続される。例えば、ＩＣモジュール１１は、プラスティックカード１０に埋設され、ＩＣモジュール１１の一方の面は、プラスティックカード１０に貼り合わせられ、他方の面は露出している。また、アンテナ部１２は、プラスティックカード１０に埋設されている。
【００１１】
例えば、アンテナ部１２は、一部分が離間（断線）されている。即ち、アンテナ部１２は、スペースＳを介して、第１アンテナ部１２ａと第２アンテナ部１２ｂに分離されている。第１アンテナ部１２ａの一端は、通信部１０１の一端に接続され、第２アンテナ部１２ｂの一端は、通信部１０１の他端に接続される。また、第１アンテナ部１２ａの他端と第２アンテナ部１２ｂの他端とは、スペースＳを介して、離間されている。つまり、第１アンテナ部１２ａの他端と第２アンテナ部１２ｂの他端とは、物理的に一定の距離だけ離れて配置され、第１アンテナ部１２ａの他端と第２アンテナ部１２ｂの他端とを導電部材（人の体の一部、指など）で接続すると通電する構成となっている。なお、第１アンテナ部１２ａの他端と第２アンテナ部１２ｂの他端と直接指で触れず、プラスティックカード１０が介在しても、第１アンテナ部１２ａの他端と第２アンテナ部１２ｂの他端の近傍を指で触れるだけで通電する構成となっている。
【００１２】
つまり、そのままの状態のＩＣカード１（第１アンテナ部１２ａの他端と第２アンテナ部１２ｂの他端との間のスペースＳが指で触れられていない又は指で押さえられていない状態のＩＣカード１）は、第１アンテナ部１２ａと第２アンテナ部１２ｂとがスペースＳを介して離間されているため、外部のリーダライタと通信することはできない。外部のリーダライタとＩＣカード１とを通信可能にするためには、第１アンテナ部１２ａの他端と第２アンテナ部１２ｂの他端との間のスペースＳを指で触れる又は指で押さえることが必要となる。これにより、指を導電部材として、第１アンテナ部１２ａと第２アンテナ部１２ｂとが通電可能となり（ループ状のアンテナ部１２が形成され）、ＩＣカード１はリーダライタと通信可能となる。
【００１３】
上記構成により、例えば、悪意のある者がＩＣカード１の保持者に近づき、リーダライタを使ってＩＣカード１から情報を盗み取ろうとしても、鞄やポケットなどに収納されたＩＣカード１（そのままの状態のＩＣカード１）は、リーダライタと通信することはできない。よって、ＩＣカード１の情報が盗み取られるのを防止することができる。
【００１４】
なお、スペースＳの長さは任意長に設定可能であるが、例えば、1mm〜15mmの間で任意長に設定することができる。この程度の長さであれば、スペースＳを指で触れる又は指で押さえることにより、第１アンテナ部１２ａの他端と第２アンテナ部１２ｂの他端とを指を介して通電させることができる。
【００１５】
また、スペースＳに指型の図をプリントし、スペースＳを指で触れる又は指で押さえると通信可能になる（取引可能になる）ことをユーザに示すようにしてもよい。
【００１６】
図２は、第２の実施形態に係るＩＣカードの一例を示す図である。
【００１７】
図２に示すように、ＩＣカード１は、例えばプラスティックカード１０により構成され、ＩＣモジュール１１を備える。さらにＩＣモジュール１１には、コイル状のアンテナ部１２が接続される。例えば、ＩＣモジュール１１は、プラスティックカード１０に埋設され、ＩＣモジュール１１の一方の面は、プラスティックカード１０に貼り付けられ、他方の面は露出している。また、アンテナ部１２は、プラスティックカード１０に埋設されている。
【００１８】
例えば、アンテナ部１２は、一部分が離間（断線）されている。即ち、アンテナ部１２は、第１アンテナ部１２ａと第２アンテナ部１２ｂに分離されている。第１アンテナ部１２ａの一端は、通信部１０１の一端に接続され、第２アンテナ部１２ｂの一端は、通信部１０１の他端に接続される。また、第１アンテナ部１２ａの他端と第２アンテナ部１２ｂの他端とは、離間されている。つまり、第１アンテナ部１２ａの他端と第２アンテナ部１２ｂの他端とは、物理的に一定の距離だけ離れて配置されている。
【００１９】
加えて、第１アンテナ部１２ａの他端と第２アンテナ部１２ｂの他端とは、スイッチＳＷを介して接続可能に構成されている。例えば、スイッチＳＷはスライドスイッチで第１の位置から第２の位置へスライドする。第１の位置のスイッチＳＷは、第１アンテナ部１２ａの他端と第２アンテナ部１２ｂの他端とを分離状態とし、第２の位置のスイッチＳＷは、第１アンテナ部１２ａの他端と第２アンテナ部１２ｂの他端とを接続状態とする。つまり、第１の実施形態では、指を導電部材として、第１アンテナ部１２ａの他端と第２アンテナ部１２ｂの他端との間を指で触れる又は指で押さえて通電させるケースについて説明したが、第２の実施形態では、指に替えてスイッチＳＷを採用する。
【００２０】
つまり、スイッチＳＷを第１の位置に設定した状態のＩＣカード１は、第１アンテナ部１２ａと第２アンテナ部１２ｂとが離間されているため、外部のリーダライタと通信することはできない。外部のリーダライタとＩＣカード１とを通信可能にするためには、スイッチＳＷを第２の位置に設定することが必要となる。これにより、スイッチＳＷを導電部材として、第１アンテナ部１２ａと第２アンテナ部１２ｂとが通電可能となり（ループ状のアンテナ部１２が形成され）、ＩＣカード１はリーダライタと通信可能となる。
【００２１】
上記構成により、例えば、悪意のある者がＩＣカード１の保持者に近づき、リーダライタを使ってＩＣカード１から情報を盗み取ろうとしても、鞄やポケットなどに収納されたＩＣカード１（スイッチＳＷを第１の位置に設定した状態のＩＣカード１）は、リーダライタと通信することはできない。よって、ＩＣカード１の情報が盗み取られるのを防止することができる。
【００２２】
図３は、第３の実施形態に係るＩＣカードの一例を示す図であり、通信可能な状態のＩＣカードを示す図である。また、図４は、第３の実施形態に係るＩＣカードの一例を示す図であり、通信不能な状態な折りたたまれたＩＣカードを示す図である。
【００２３】
図３及び図４に示すように、ＩＣカード１は、例えばプラスティックカード１０により構成され、ＩＣモジュール１１を備える。さらにＩＣモジュール１１には、コイル状のアンテナ部１２が接続される。例えば、ＩＣモジュール１１は、プラスティックカード１０に埋設され、ＩＣモジュール１１の一方の面は、プラスティックカード１０に貼り付けられ、他方の面は露出している。また、アンテナ部１２は、プラスティックカード１０に埋設されている。
【００２４】
例えば、図４に示すように、プラスティックカード１０は、折りたたみ可能に構成され、プラスティックカード１０が二つに折りたたまれると、プラスティックカード１０はプラスティックカード１０ａと１０ｂに分かれる。折りたたまれた状態で、プラスティックカード１０ａと１０ｂは一部を介して繋がる構成であってもよいし、分離可能な構成であってもよい。プラスティックカード１０の折りたたみに伴い、アンテナ部１２は、第１アンテナ部１２ａ、第２アンテナ部１２ｂ、第３アンテナ部１２ｃに分離される。第１アンテナ部１２ａの一端は、通信部１０１の一端に接続され、第２アンテナ部１２ｂの一端は、通信部１０１の他端に接続される。また、第１アンテナ部１２ａの他端と第３アンテナ部１２ｃの一端とは離間され、第２アンテナ部１２ｂの他端と第３アンテナ部１２ｃの他端とも離間される。つまり、第１アンテナ部１２ａの他端と第３アンテナ部１２ｃの一端とは、物理的に一定の距離だけ離れ、第２アンテナ部１２ｂの他端と第３アンテナ部１２ｃの他端とも、物理的に一定の距離だけ離れる。
【００２５】
つまり、第２の実施形態では、スイッチＳＷにより第１アンテナ部１２ａの他端と第２アンテナ部１２ｂの他端との通電させるケースについて説明したが、第３の実施形態では、スイッチＳＷに替えて、プラスティックカード１０の折りたたみによるアンテナの離間方式（切断方式）を採用する。
【００２６】
つまり、図４に示すように、折りたたんだ状態のＩＣカード１は、第１アンテナ部１２ａと第３アンテナ部１２ｃとが離間され、また、第２アンテナ部１２ｂと第３アンテナ部１２ｃとも離間されているため、外部のリーダライタと通信することはできない。外部のリーダライタとＩＣカード１とを通信可能にするためには、図３に示すように、折りたたんだ状態のＩＣカード１を元のスクエアな状態に戻すことが必要となる。これにより、第１アンテナ部１２ａと第３アンテナ部１２ｃとが接続され、また、第２アンテナ部１２ｂと第３アンテナ部１２ｃとが接続され、第１アンテナ部１２ａ、第２アンテナ部１２ｂ、第３アンテナ１３ｃが通電可能となり（ループ状のアンテナ部１２が形成され）、ＩＣカード１はリーダライタと通信可能となる。
【００２７】
上記構成により、例えば、悪意のある者がＩＣカード１の保持者に近づき、リーダライタを使ってＩＣカード１から情報を盗み取ろうとしても、鞄やポケットなどに折りたたんで収納されたＩＣカード１は、リーダライタと通信することはできない。よって、ＩＣカード１の情報が盗み取られるのを防止することができる。折りたたまれたＩＣカード１がリーダライタと通信できないという事象は、ユーザにとって分かりやすく、また、収納時に折りたたむ習慣があれば、情報が盗み取られることをより確実に防止することができる。
【００２８】
図５は、第１、第２、第３の実施形態に共通のＩＣカードの概略構成を示すブロック図である。第１の実施形態のＩＣカード１は、指で第１アンテナ部１２ａの他端と第２アンテナ部１２ｂの他端との間のスペースＳが指で触れられている又は指で押さえられている状態であれば、アンテナ部１２を介して、リーダライタ２と通信可能である。また、第２の実施形態のＩＣカード１は、スイッチＳＷが第２の位置に設定された状態であれば、アンテナ部１２を介して、リーダライタ２と通信可能である。また、第３の実施形態のＩＣカード１は、スクエアに広げられた状態であれば、アンテナ部１２を介して、リーダライタ２と通信可能である。
【００２９】
図５に示すように、ＩＣカード１のＩＣモジュール１１は、通信部１０１、ＣＰＵ１０４、データメモリ（ＥＥＰＲＯＭ（登録商標）、ＦＲＡＭ（登録商標）、ＦＬＡＳＨ等の不揮発性メモリ）１０５、ＲＡＭ１０６、ＲＯＭ１０７を備えている。
【００３０】
ＲＡＭ１０６は、ワーキングメモリとして機能する。ＲＯＭ１０７は、ＣＰＵ１０４により実行されるＩＣカードプログラムを保持する。ＣＰＵ１０４は、ＲＯＭ１０７に記憶されたＩＣカードプログラム等に基づき動作する。また、ＣＰＵ１０４は、データメモリ１０５又はＲＡＭ１０６に記憶されたデータを読み出したり、データメモリ１０５又はＲＡＭ１０６に対してデータを書き込んだり、さらには、通信部１０１を介して受信したコマンド（端末１から送信されたコマンド）を解釈し実行したり、通信部１０１を介して端末１に対してコマンド実行結果の返信を制御したりする。通信部１０１には、アンテナ１２が接続されている。
【００３１】
以下、第１、第２、第３の実施形態についてまとめる。これら第１、第２、第３の実施形態のＩＣカードによれば、以下の作用効果が得られる。
【００３２】
第１、第２、第３の実施形態のＩＣカードのアンテナ部１２は、物理的に一部分がオープンになっている、又はオープンにすることができる。この構成により、非接触通信によるリーダライタからＩＣカードへのアクセスは不可視であるが、ＩＣカードの保持者の意志でその非接触通信を制御できる。
【００３３】
即ち、第１の実施形態によれば、人の体の一部、例えば指を利用して通信のオン／オフを制御することができる。また、第２の実施形態によれば、スイッチにより通信のオン／オフを制御することができる。また、第３の実施形態によれば、ＩＣカードを２つ折りたたむ、または広げることにより、通信のオン／オフを制御することができる。これにより、スキミング等によるＩＣカードの情報の搾取を防止できる。
【００３４】
なお、第１、第２、第３の実施形態では、アンテナ部１２の途中を離間するケースについて説明したが、アンテナ部１２とＩＣモジュール１１との接続部分を離間するようにしてもよい。
【００３５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１…ＩＣカード、１０…プラスティックカード（基材）、１１…ＩＣモジュール（ＩＣチップ）、１２…アンテナ部１２、１２ａ…第１アンテナ部、１２ｂ…第２アンテナ部、１２ｃ…第３アンテナ部、ＳＷ…スイッチ
【図１】
2017068326.tif 000003
【図２】
2017068326.tif 000004
【図３】
2017068326.tif 000005
【図４】
2017068326.tif 000006
【図５】
2017068326.tif 000007